(57)【要約】      （修正有）【課題】キャップ本体注出口のパネルの切り離しを容易とすると共にスコア破断終了時の内容液の跳ねを好適に防止する液跳ね防止キャップを提供する。【解決手段】スコア破断開始部がスコア破断終了部よりも下方に位置するようにキャップ本体１のパネル１１を形成する。同時に、パネル１１の内容液と接するパネル下面にリブ１１aをプルリングの引張方向と直交する方向に形成する。なお、リブ１１aの間隔Ｌs、高さＬh及び幅Ｌwは、Ｌs＝０.５〜２.０[mm]であり、Ｌh＝０.２〜０.８[mm]、Ｌw＝０.２〜０.６[mm]であり、パネル１１の板厚ｔ＝１.０〜１.７[mm]である。【選択図】図４
2010285202.tif 000002
【特許請求の範囲】
【請求項１】
内容液の注出口となるキャップ本体と該注出口の栓となる上蓋とから成り、前記注出口を開封するスコアの内側のパネル上面に支柱およびプルリングが設けられて成るキャップであって、前記スコアの破断開始部が同破断終了部より下方に位置するように前記キャップ本体に形成され、且つ前記スコアで囲まれた前記パネル下面に複数のリブが少なくとも前記プルリングの引張方向に対し交差する方向に形成されていることを特徴とする液跳ね防止キャップ。
【請求項２】
前記リブの形成方向と前記プルリングの引張方向は略直交している請求項１に記載の液跳ね防止キャップ。
【請求項３】
前記リブの形成方向が前記パネルの縁に略直交している請求項１に記載の液跳ね防止キャップ。
【請求項４】
前記リブの間隔Ｌsは０.５〜２.０[mm]であり、前記リブの幅Ｌwは０.２〜０.６[mm]であり、前記リブの前記パネル外周面からの高さＬhは０.２〜０.８[mm]であり、前記パネルの板厚ｔは１.０〜１.７[mm]である請求項１から３の何れかに記載の液跳ね防止キャップ。
【発明の詳細な説明】
【技術分野】
【０００１】
本発明は、ヒンジキャップ等、特にキャップ本体注出口のパネルの切り離しを容易とすると共にパネルに勢いがある場合であってもスコア破断終了時の内容液の跳ね飛びを好適に防止する液跳ね防止ヒンジキャップに関するものである。
【背景技術】
【０００２】
調味液等を保存する容器のキャップとして、キャップ本体とそのキャップ本体の注出口を封止する上蓋とからなる注出キャップが広く用いられている。これらの注出キャップでは、開封前の液の注出口はパネルによって閉塞され、そのパネルにスコアによる薄肉脆弱部が形成され、そのスコア内側エリアの一端には支柱を介してプルリングが設けられ、そのプルリングを引っ張ることによってスコアが順に引き裂かれパネルがキャップ本体から切り離され、液の注出口が形成される構造を採用している。
ところで、プルリングを引っ張ってスコアを引き裂く際、特に、スコア破断終了時にパネル部が弾性体となり、パネルに勢いがついてパネル下面に付着した内容液が容器外に飛散する（跳ねる）ことがよくある。
このようなスコア破断終了時の内容液の跳ねを防止するための手段として、パネルの剛性を上げてスコア破断終了時にパネルに勢いをつけさせない高剛性パネル、或いはパネル下面に付着した内容液をトラップして外部に流出させないトラップ構造パネル等が考えられる。
パネルに勢いをつけさせない高剛性パネルとして、スコア破断開始側からスコア破断終了側に向かって閉鎖部材（パネル）の肉厚を徐々に大きくし、或いはスコア破断中間点からスコア破断終了点の間において閉鎖部材の肉厚を大きくして曲げに対する抵抗力を大きくすることによって、プルリングの引っ張り力を閉鎖部材（パネル）へ分散させずに薄肉脆弱線（スコア）へ伝達させるようにしたヒンジキャップが知られている（例えば、特許文献１を参照。）。このヒンジキャップでは、閉鎖部材（パネル）の肉厚を上記のように構成することによって、プルリングの引っ張り力を有効に薄肉脆弱線（スコア）に伝達することができ、その結果、閉鎖部材（パネル）のスコア破断終了側でプルリングの引っ張り力を大きくする必要がなくなり、開封時に液体（内容液）が飛散する虞がなくなるとしている。また、このヒンジキャップでは閉鎖部材（パネル）の曲げに対する抵抗力を大きくする複数の凸状リブが引張方向と平行して並列に閉鎖部材（パネル）の上面側または下面側に設けられている。
また、内容液をトラップして外部に流出させないトラップ構造パネルとして、複数の円弧状壁、渦巻状壁または格子壁を上蓋裏面に横断または掛け渡し形態で設けることによって、収納液攪拌により付着した蓋体頂壁面の液が、蓋体の開閉時にキャップ本体との連結部やその周辺のキャップ本体にタレて汚すことを防止することとした液体注出キャップが知られている（例えば、特許文献２を参照。）。
また、スコアの引き裂き易さを向上させるために、パネル下面に引張方向と直交する方向に並列にリブを設けた切り離し式簡易蓋が知られている（例えば、特許文献３を参照。）。なお、パネル下面に形成されたこのリブは、切り離し時の蓋本体側に対する剪断力がスコアに作用し易くするためのリブであり、パネル切り離し時における内容液の跳ねを防止するためのリブではない。
【先行技術文献】
【特許文献】
【０００３】
【特許文献１】特許第３４７００７２号公報
【特許文献２】特許第３５６５４５２号公報
【特許文献３】実開昭６３−１０２６６０号公報
【発明の開示】
【発明が解決しようとする課題】
【０００４】
上記第１の従来技術は、閉鎖部材（パネル）の剛性を上げることによって、プルリングの引っ張り力を効率良く薄肉脆弱線（スコア）に伝達し、最小限の引っ張り力によってスコアの破断を可能とすると同時に、引っ張り力が小さくなることにより、パネルに勢いを付与しなくなり、その結果、スコア破断終了時の液跳ね防止を可能とするものである。
しかし、このような高剛性パネルは指になじまなく、その結果、パネルを開封しにくいという問題がある。
また、上記第２の従来技術は、複数の円弧状壁、渦巻状壁または格子壁によって、液垂れ防止機構をパネル下面に形成するものである。しかし、パネル下面に上記液垂れ防止機構を成す場合であっても、内容液の粘性が高い場合は多量の内容液がその液垂れ防止機構に滞留することになるため、パネルに勢いがある場合はスコア破断終了時の液跳ねの危険性が高くなるという問題がある。
一般に、内容液の粘性が高い場合は、パネル下面に対する付着力が大きいため、一旦パネル下面に付着すると下方へ垂れにくく、スコア破断終了時の液跳ねの原因となっている。
また、上記第３の従来技術では、スコアの引き裂き易さを目的とする発明である。従って、パネル切り離し時の液跳ね防止については全く考慮されていない。
そこで、本発明が解決しようとする課題は、上記従来技術の問題点に鑑みなされたものであって、キャップ本体注出口のパネルの切り離しを容易とすると共にパネルに勢いがある場合であってもスコア破断終了時の内容液の跳ねを好適に防止する液跳ね防止キャップを提供することにある。
【課題を解決するための手段】
【０００５】
前記目的を達成するための請求項１に記載の液跳ね防止キャップは、内容液の注出口となるキャップ本体と該注出口の栓となる上蓋とから成り、前記注出口を開封するスコアの内側のパネル上面に支柱およびプルリングが設けられて成るキャップであって、前記スコアの破断開始部が同破断終了部より下方に位置するように前記キャップ本体に形成され、且つ前記スコアで囲まれた前記パネル下面に複数のリブが少なくとも前記プルリングの引張方向に対し交差する方向に形成されていることを特徴とする。
ところで、パネルがキャップから分離される際（スコア破断終了時）、パネルの内で最も振れの大きい部位は、支柱から最も離れたスコア破断終了部側である。従って、スコア破断終了部側のパネル下面に内容液が付着していると、スコア破断終了の際、内容液はパネル下面から受ける荷重（遠心力）によって容器外に飛散しやすくなる。つまり、スコア破断終了時の液跳ねを防止するためには、スコア破断時にパネル下面に付着した内容液がスコア破断終了部側に流れ・伝わりにくい構造にする必要がある。
そこで、上記液跳ね防止キャップでは、スコア破断部を上記傾斜構造とすることに加え、パネル下面に複数のリブを引張方向と交差する方向に設けることによって、無負荷時はパネル下面に付着した内容液がスコア破断終了部側から最も離れたスコア破断開始部側に流れ・伝わりやすくして、即ちスコア破断終了部側に滞留しにくくし、他方スコア破断時は内容液がリブによってスコア破断終了部側に流動するのを阻害するようにし、或いはリブによってスコア破断終了部側に到達することを遅延させ、内容液がスコア破断終了部側に流れ・伝わりにくくなるようにした。このように、パネル下面に付着した内容液は支柱近傍のスコア破断開始部側に滞留しやすくなり、リブによる内容液接触面積増大の効果と相俟って液自身の表面張力によってパネル下面に付着するようになる。
これにより、本発明の液跳ね防止キャップでは、スコア破断時においてパネルに勢いがある場合であっても内容液が容器外に飛散し（跳ね）にくくなる。また、パネルは適度な弾性を有するため、開口し易くなる。
【０００６】
請求項２に記載の液跳ね防止キャップでは、前記リブの形成方向と前記プルリングの引張方向は略直交していることとした。
上記液跳ね防止キャップでは、上記構成とすることにより、パネルは適度な弾性を有し開口し易くなる。また、スコア破断時はパネル下面に付着した内容液がスコア破断終了部側に流れ・伝わりにくくなる。更に、内容液がパネル下面に接する表面積が大きくなるため、内容液は液自身の表面張力によってパネル下面に付着するようになる。
【０００７】
請求項３に記載の液跳ね防止キャップでは、前記リブの形成方向と前記パネルの縁は略直交していることとした。
上記液跳ね防止キャップでは、上記構成とすることにより、パネルは適度な弾性を有し開口し易くなる。また、スコア破断時はパネル下面に付着した内容液がスコア破断終了部側に流れ・伝わりにくくなる。更に、内容液がパネル下面に接する表面積が大きくなるため、内容液は液自身の表面張力によってパネル下面に付着するようになる。
【０００８】
請求項４に記載の液跳ね防止キャップでは、前記リブの間隔Ｌsは０.５〜２.０[mm]であり、前記リブの幅Ｌwは０.２〜０.６[mm]であり、前記リブの前記パネル外周面からの高さＬhは０.２〜０.８[mm]であり、前記パネルの板厚ｔは１.０〜１.７[mm]であることとした。
上記液跳ね防止キャップでは、上記構成とすることにより、パネルは適度な弾性を有し開口し易くなる。また、スコア破断時はパネル下面に付着した内容液がスコア破断終了部側に流れ・伝わりにくくなる。また、引張り方向の曲げ剛性を増大させずにパネル下面の内容液との接触面積を増大させることが出来るようになる。
【発明の効果】
【０００９】
本発明の液跳ね防止キャップによれば、スコア破断部を上記傾斜構造とすることに加え、パネル下面に複数のリブを引張方向と交差する方向に設けることによって、無負荷時は内容液がスコア破断終了部側のパネル下面に付着しにくくなり、他方スコア破断時はパネル下面に付着した内容液が振れの大きいスコア破断終了部側に流れ・伝わりにくくなる。これにより、パネル下面に付着した内容液は、リブを設けたことによる内容液接触面積増大の効果と相俟って、液自身の表面張力によってパネル下面に好適に付着するようになる。このため、スコア破断終了時においてパネルに勢いがある場合であっても、内容液の跳ね（飛散）を好適に防止することが可能となる。
また、パネルが高剛性とならないようにリブが引張方向と交差する方向にパネル下面に形成されているため、キャップ本体注出口のスコアを容易に破断することが出来る。
【図面の簡単な説明】
【００１０】
【図１】本発明の液跳ね防止ヒンジキャップを示す断面説明図である。
【図２】上蓋を開けた状態を示す断面説明図である。
【図３】図２のＡ矢視図である。
【図４】図２のＢ部拡大図である。
【図５】図２のＣ矢視図である。
【図６】本発明の変形例に係る液跳ね防止ヒンジキャップを示す説明図である。
【図７】本発明の他の変形例に係る液跳ね防止ヒンジキャップを示す説明図である。
【図８】本発明の他の変形例に係る液跳ね防止ヒンジキャップを示す説明図である。
【発明を実施するための形態】
【００１１】
以下、図に示す実施の形態により本発明をさらに詳細に説明する。
【００１２】
図１及び図２は、本発明の液跳ね防止ヒンジキャップ１００を示す断面説明図である。なお、図１のヒンジキャップは容器口部に嵌合した状態で示されている。また、図２は、上蓋２を開けた状態で示されている。
この液跳ね防止ヒンジキャップ１００は、容器口部に装着されるキャップ本体１と、キャップ本体１を封止する上蓋２と、キャップ本体１と上蓋２をヒンジ結合するヒンジ連結部３とを具備して構成されている。
【００１３】
キャップ本体１は、図２に示すように、内容液の注出口となるパネル１１と、その破断線となるスコア１２と、指をかけて引っ張るためのプルリング１３と、パネル１１とプルリング１３を連結する支柱１４と、上蓋２の周状突起２１と係合する注出筒１５と、上蓋２のスカート部２２と係合する周状突起１６と、容器口部に嵌合する周状溝を形成するインナーリング１７及び周状側壁１８とから成る。なお、ここで言うパネル１１とは、スコア１２の内側のエリアを指すものとする。
【００１４】
パネル１１は、スコア破断開始部（支柱１４側）がスコア破断終了部よりも下方に位置するように設けられている。このように、スコア破断開始部をスコア破断終了部よりも下方にしてパネル１１を傾斜させると、パネル１１が開口し易くなると共に、内容液がスコア破断終了部側よりスコア破断開始部側に滞留しやすくなる。
また、内容液と接するパネル下面に複数のリブ１１aが等間隔にプルリングの引張方向と直交する方向に設けられている。これにより、スコア破断開始部（支柱１４側）に付着している内容液は、パネル１１の起き上がり（スコア破断）と共に、支柱１４の反対側であるスコア破断終了部に流動しようとするが、リブ１１aの配列がもたらす効果によって、その流動が阻害される。そのため、内容液は、スコア破断終了の際、最も振れの小さいスコア破断開始部側（支柱１４側）に滞留し、液自身の表面張力によってパネル下面に付着するようになる。その結果、パネル１１に勢いがある場合であっても内容液がパネル下面に留まり容器外に飛散しにくくなる。
【００１５】
上蓋部２は、キャップ本体１の注出筒１５と係合する周状突起部２１と、キャップ本体１の周状突起１６と係合するスカート部２２と、天板部２３とから成る。
【００１６】
図３は、図２のＡ矢視図である。
パネル１１の形状としては、例えばスコア破断開始部とスコア破断終了部がともに先細である矩形状である。また、リブ１１aは引張方向に直交する方向に並列に形成されている。ここで、寸法例を挙げると、リブ１１aの間隔Ｌsは例えばＬs＝０.５〜２.０[mm]であり、リブの幅ＬwはＬw＝０.２〜０.６[mm]である。因みに、リブの高さＬh（パネル１１の外周面からの最長突出量）はＬh＝０.２〜０.８[mm]である。
【００１７】
図４は、図２のＢ部拡大図である。
リブ１１aの横断面形状は、例えば半円弧状である。その中心軸はパネル１１の中心軸に対し傾斜し、例えばθ＝１２.５°傾斜している。
また、リブの高さＬh（パネル１１の外周面からの最長突出量）は、Ｌh＝０.２〜０.８[mm]である。一般的に、リブの間隔ＬsはＬs＝０.５〜２.０[mm]であり、リブの高さＬhはＬh＝０.２〜０.８[mm]であり、リブの幅ＬwはＬw＝０.９〜１０[mm]、パネル板厚ｔはｔ＝１.０〜１.７[mm]である。リブ１１aおよびパネル１１をこのように設定することにより、パネル１１は適度な弾性を有し開口し易くなる。また、スコア破断時はパネル下面に付着した内容液がスコア破断終了部側に流れ・伝わりにくくなる。更に、内容液がパネル下面に接する表面積が大きくなるため、内容液は液自身の表面張力によってパネル下面に付着するようになる。その結果、パネル１１に勢いがある場合であっても内容液がパネル下面に留まり容器外に飛散しにくくなる。
【００１８】
図５は、図２のＣ矢視図である。
パネル１１の表面にはフィンガーフィット１１bが設けられている。フィンガーフィット１１bを設けることによって、指をキャップ本体１の注出口内に深く挿入することが出来るため、指の腹がプルリング１３に好適にフィットし、パネル１１を開封し易くなる。
【００１９】
以上、上記液跳ね防止ヒンジキャップ１００によれば、パネル１１が高剛性とならないようにリブ１１aが引張方向と直交する方向にパネル下面に形成されているため、キャップ本体注出口のスコア１２を容易に破断することが出来る。また、リブ１１aを引張方向と直交する方向に設けたことによって引張り方向の曲げ剛性を増大させずにパネル下面の内容液との接触面積を増大させることができ、スコア破断に際して、スコア破断開始部側が上方に持ち上げられてもリブ１１aが引張方向と直交する方向に設けられているため、スコア破断開始部側のパネル下面に付着した内容液がスコア破断終了部側に流れ・伝わりにくくなり、内容液は液自身の表面張力によってパネル下面に好適に付着するようになる。これにより、スコア破断終了時においてパネル１１に勢いがある場合であっても、内容液の跳ね（飛散）を好適に防止することが可能となる。
【実施例１】
【００２０】
図６は、本発明の変形例に係る液跳ね防止ヒンジキャップ２００を示す説明図である。
この液跳ね防止ヒンジキャップ２００は、リブ１１cの形成方向がパネル１１の縁部（外周）に直交するように形成されている。従って、リブ１１cはパネル１１上でＶ字状を成している。その他の構成については、上記液跳ね防止ヒンジキャップ１００と同じである。従って、この液跳ね防止ヒンジキャップ２００についても同様に、スコア破断に際して、スコア破断開始部側が上方に持ち上げられてもリブ１１cが引張方向と交差する方向に設けられているため、スコア破断開始部側のパネル下面に付着した内容液がスコア破断終了部側に流れ・伝わりにくくなり、内容液は液自身の表面張力によってパネル下面に好適に付着するようになる。これにより、スコア破断終了時においてパネル１１に勢いがある場合であっても、内容液の跳ね（飛散）を好適に防止することが可能となる。
【実施例２】
【００２１】
図７は、本発明の他の変形例に係る液跳ね防止ヒンジキャップ３００を示す説明図である。
この液跳ね防止ヒンジキャップ３００は、リブ１１dが波状に形成され、その形成方向が引張方向と直交する向きである。その他の構成については、上記液跳ね防止ヒンジキャップ１００,２００と同じである。従って、この液跳ね防止ヒンジキャップ３００についても同様に、スコア破断に際して、スコア破断開始部側が上方に持ち上げられてもリブ１１dが引張方向と交差する方向に設けられているため、スコア破断開始部側のパネル下面に付着した内容液がスコア破断終了部側に流れ・伝わりにくくなり、内容液は液自身の表面張力によってパネル下面に好適に付着するようになる。これにより、スコア破断終了時においてパネル１１に勢いがある場合であっても、内容液の跳ね（飛散）を好適に防止することが可能となる。
【実施例３】
【００２２】
図８は、本発明の他の変形例に係る液跳ね防止ヒンジキャップ４００を示す説明図である。
この液跳ね防止ヒンジキャップ４００は、リブ１１eが波状に形成され、その形成方向がパネルの縁（外周）と直交する向きである。その他の構成については、上記液跳ね防止ヒンジキャップ１００,２００,３００と同じである。従って、この液跳ね防止ヒンジキャップ４００についても同様に、スコア破断に際して、スコア破断開始部側が上方に持ち上げられてもリブ１１eが引張方向と交差する方向に設けられているため、スコア破断開始部側のパネル下面に付着した内容液がスコア破断終了部側に流れ・伝わりにくくなり、内容液は液自身の表面張力によってパネル下面に好適に付着するようになる。これにより、スコア破断終了時においてパネル１１に勢いがある場合であっても、内容液の跳ね（飛散）を好適に防止することが可能となる。
【００２３】
上記実施例及び変形例ではヒンジキャップにおいて説明しているが、キャップ本体と上蓋が別体に形成され、上蓋が螺子でキャップ本体に着脱可能になっていても良い。
【００２４】
また、リブは、引張方向と交差する上記方向と併せてスコア１２の周方向（パネル１１の周方向）に沿って形成しても良い。
【００２５】
また、リブは、引張方向と交差する上記方向と併せて引張方向と平行に形成しても良い。
【００２６】
また、リブは、引張方向と交差する上記方向と併せてスコア１２の周方向（パネル１１の周方向）に沿って形成し、且つ引張方向と平行に形成しても良い。
【産業上の利用可能性】
【００２７】
本発明の液跳ね防止キャップは、調味料および飲料等の容器のヒンジキャップに好適に適用することが出来る。
【符号の説明】
【００２８】
１                            キャップ本体
１１                          パネル
１１a,１１c,１１d,１１e       リブ
１１b                         フィンガーフィット
１２                          スコア
１３                          プルリング
１４                          支柱
１５                          注出筒
１６                          周状突起
１７                          インナーリング
１８                          周状側壁
２                            上蓋
２１                          周状突起
２２                          スカート部
２３                          天板部
３                            ヒンジ連結部
１００,２００,３００,４００   液跳ね防止ヒンジキャップ
【図１】
2010285202.tif 000003
【図２】
2010285202.tif 000004
【図３】
2010285202.tif 000005
【図４】
2010285202.tif 000006
【図５】
2010285202.tif 000007
【図６】
2010285202.tif 000008
【図７】
2010285202.tif 000009
【図８】
2010285202.tif 000010